(57)【要約】【課題】容器本体から塗料が零れにくく、かつ、必要な場合に簡単に刷毛などに塗料を付着させることができ作業性が良好となる塗料用の容器を提供する。【解決手段】塗料Ｃを収容する容器本体２の側壁２２上部に両端部４，５が回転可能に取り付けられ容器本体２を吊り下げる取っ手３と、容器本体２の上下方向途中位置Ｐ１で塗料Ｃを上から覆うと共に塗料Ｃの通過を制限する小穴１１が複数形成されかつ容器本体２の傾きに追従して傾く中蓋６と、中蓋６と容器本体２との間に設けられているバネ７とを備えている。バネ７は、中蓋６に容器本体２の底部側へ押す力を与えると、弾性変形して中蓋６を底部側へ移動させ、かつ、前記押す力を解除すると、弾性復元力によって中蓋６を途中位置Ｐ１に復帰させる。【選択図】      図２
2013059898.tif 000002
【特許請求の範囲】
【請求項１】
上方が開口し塗料を収容する容器本体と、
前記容器本体の側壁上部に両端部が回転可能に取り付けられ当該容器本体を吊り下げる取っ手と、
前記容器本体の上下方向途中位置で当該容器本体内の塗料を上から覆うと共に当該塗料の通過を制限する小穴が複数形成されかつ前記容器本体の傾きに追従して傾く中蓋と、
前記中蓋と前記容器本体との間に設けられ、前記中蓋に前記容器本体の底部側へ押す力を与えると、弾性変形して当該中蓋を底部側へ移動させ、かつ、前記押す力を解除すると、弾性復元力によって前記中蓋を前記途中位置に復帰させる弾性部材と、
を備えていることを特徴とする塗料用の容器。
【請求項２】
前記中蓋が前記途中位置よりも上へ移動するのを阻止するストッパを、更に備えている請求項１に記載の塗料用の容器。
【請求項３】
複数の前記小穴は、前記取っ手の前記両端部を結ぶ直線を前記中蓋の上面へ投影した仮想直線に沿って形成されている請求項１又は２に記載の塗料用の容器。
【請求項４】
前記中蓋には、上方に突出している突起が、前記小穴の並び方向に沿って複数形成されている請求項３に記載の塗料用の容器。
【発明の詳細な説明】
【技術分野】
【０００１】
本発明は、刷毛などを用いて塗装作業を行う際に用いられる塗料用の容器に関する。
【背景技術】
【０００２】
刷毛又は筆などを用いて塗装作業を行う際に用いられる塗料用の容器として、図８（Ａ）に示すように、塗料Ｃを収容している容器本体９０と、容器本体９０を吊り下げる取っ手９１とを有しているものがある。取っ手９１の両端部９２は、容器本体９０に回転可能に取り付けられているため、図８（Ｂ）に示すように、取っ手９１に対して容器本体９０は傾くことができる。
【０００３】
このような塗料用の容器は、作業者によって次のようにして使用される。容器本体９０に塗料を入れた状態で、作業者が、一方の手で取っ手９１を持って容器本体９０をぶら下げたり、高所において足場などの部材に取っ手９１を針金などで固定して容器本体９０をぶら下げたり、作業者の腰ベルトに取っ手９１をカラビナなどで取り付けて容器本体９０をぶら下げたりしている。
【０００４】
しかし、この場合、容器本体９０が風などで揺れたり、作業者の手や刷毛などが接触して容器本体９０が簡単に傾いたりすると（図８（Ｂ）参照）、容器本体９０から塗料Ｃが簡単に零れることがある。
そこで、特許文献１に記載されているように、容器本体内に中蓋を設けた容器がある。中蓋の中央に孔が一つ形成されており、この孔は、刷毛を通過させることができる程度の大きな孔である。この容器によれば、容器本体が一瞬の間、傾いても、中蓋によって塗料の流れが一部遮断され、塗料が直ぐに容器本体の開口縁へ到達できず、塗料が零れるのを抑制することができる。特に、塗料は粘性が高く、このような中蓋による効果が期待できる。
【先行技術文献】
【特許文献】
【０００５】
【特許文献１】特開２００７−２９７０８６号公報（図１参照）
【発明の概要】
【発明が解決しようとする課題】
【０００６】
しかし、特許文献１に記載の塗料用の容器のように、中央に大きな孔が一つ形成された中蓋を容器本体に取り付けた場合、以下のような問題がある。
塗料が零れるのを防ぐためには、孔をできるだけ小さくするのが好ましい。しかし、孔を小さくすると、刷毛がその孔を通ることができず、または、刷毛が孔を通ったとしても刷毛を容器本体内から引き出す際にその刷毛が中蓋に引っ掛かりやすく、塗布作業の妨げとなる。つまり、特許文献１に記載のような、刷毛を通過させることができる程度の孔が中蓋に形成された塗料用の容器では、塗料の零れ防止と、塗布作業の容易性とはトレードオフの関係にある。
【０００７】
そこで、本発明の目的は、容器本体から塗料が零れにくく、かつ、必要な場合に簡単に刷毛などに塗料を付着させることができ作業性が良好となる塗料用の容器を提供することである。
【課題を解決するための手段】
【０００８】
本発明の塗料用の容器は、上方が開口し塗料を収容する容器本体と、前記容器本体の側壁上部に両端部が回転可能に取り付けられ当該容器本体を吊り下げる取っ手と、前記容器本体の上下方向途中位置で当該容器本体内の塗料を上から覆うと共に当該塗料の通過を制限する小穴が複数形成されかつ前記容器本体の傾きに追従して傾く中蓋と、前記中蓋と前記容器本体との間に設けられ、前記中蓋に前記容器本体の底部側へ押す力を与えると、弾性変形して当該中蓋を底部側へ移動させ、かつ、前記押す力を解除すると、弾性復元力によって前記中蓋を前記途中位置に復帰させる弾性部材とを備えていることを特徴とする。
【０００９】
本発明によれば、取っ手に吊り下げられている容器本体は、例えば風などによって、傾くことがある。容器本体が傾くと、これに追従して傾く中蓋よりも下の塗料が小穴を通じて中蓋の上へと流出するが、この小穴により、粘性を有する塗料の流出を遅延させることができる。このため、容器本体から塗料が零れにくくなる。
そして、刷毛などによって中蓋を押し下げれば、弾性部材が弾性変形して中蓋を底部側へ移動させることができ、中蓋よりも下にあった塗料が小穴を通じて中蓋の上へと流出し、中蓋の上で、塗料を刷毛に付着させることができる。
つまり、容器本体が傾いても塗料が零れにくく、しかも、必要な場合に簡単に刷毛などに塗料を付着させることができ作業性が良好である。
【００１０】
また、この塗料用の容器は、前記中蓋が前記途中位置よりも上へ移動するのを阻止するストッパを、更に備えているのが好ましい。
この場合、容器本体が傾いた際に、塗料によって中蓋が押されて中蓋が容器本体の開口縁側へ移動するのを防ぐ。つまり、中蓋が容器本体の開口縁側へ移動してしまうと、その中蓋の小穴を通過した塗料が、容器本体の開口縁から零れやすくなるが、前記ストッパによれば、これを防ぐことができる。
【００１１】
また、塗料用の容器は、複数の前記小穴は、前記取っ手の前記両端部を結ぶ直線を前記中蓋の上面へ投影した仮想直線に沿って形成されているのが好ましい。
取っ手の両端部を結ぶ直線が、容器本体が傾く際の傾斜中心線となる。そこで、この傾斜中心線回りに容器本体が傾いても、この小穴の配置によれば、小穴から塗料が流出し難い。つまり、容器本体から塗料が零れにくくする効果をより一層高めることができる。
【００１２】
また、前記中蓋には、上方に突出している突起が、前記小穴の並び方向に沿って複数形成されているのが好ましい。
この場合、例えば多くの塗料が付着している刷毛により、小穴が並ぶ方向に沿って中蓋上をなぞることで、突起によって、その刷毛から余分な塗料が除かれ、その塗料を直ぐに小穴を通じて中蓋と容器本体の底部との間に戻すことが可能となる。また、小穴の並ぶ方向（突起の並ぶ方向）に沿って刷毛により中蓋をなぞっても、容器本体は傾きにくく、作業性が良い。
【発明の効果】
【００１３】
本発明によれば、容器本体が傾いても、粘性を有する塗料の流出を小穴により遅延させることができ、容器本体から塗料が零れにくくなる。そして、刷毛などによって中蓋を押し下げれば、塗料が小穴を通じて中蓋の上へと流出し、中蓋上において塗料を刷毛に付着させることができ作業性が良好である。
【図面の簡単な説明】
【００１４】
【図１】本発明の塗料用の容器の実施の一形態を示す斜視図である。
【図２】塗料用の容器の縦断面図である。
【図３】塗料用の容器の縦断面図であり、中蓋を押し下げた状態を示している。
【図４】傾いた状態にある塗料用の容器の縦断面図である。
【図５】（Ａ）は、塗料用の容器の平面図であり、（Ｂ）は中蓋の一部（（Ａ）のＫ部）を拡大した斜視図である。
【図６】中蓋の側面図である。
【図７】他の実施形態の塗料用の容器の平面図である。
【図８】（Ａ）は、従来の塗料用の容器の縦断面図であり、（Ｂ）は傾いた状態にある従来の塗料用の容器の縦断面図である。
【発明を実施するための形態】
【００１５】
以下、本発明の実施の形態を図面に基づいて説明する。
図１は、本発明の塗料用の容器の実施の一形態を示す斜視図である。この容器１は、塗料Ｃを収容している容器本体２と、この容器本体２を吊り下げる取っ手３とを備えている。容器本体２は、円形の底板２１、及び、筒状の側壁２２を有しており、上方が開口している容器である。側壁２２の横断面形状は、全高さ方向について変化せず同一である。側壁２２の上端が、容器本体２の開口縁２３であり、この開口縁２３において容器本体２は開口している。
【００１６】
取っ手３の両端部４，５は、容器本体２の側壁２２の上部に回転可能に取り付けられている。両端部４，５は、１８０°離れて位置している。このため、取っ手３に吊り下げられている容器本体２は、例えば風などを受けることによって傾くことがある。取っ手３の両端部４，５を結ぶ水平方向の直線が、容器本体２が傾く際の傾斜中心線Ｌとなる。
【００１７】
図２は、容器１の縦断面図である。本発明の容器１は、さらに、容器本体２の上下方向途中位置Ｐ１に位置して容器本体２内の塗料Ｃを上から覆う中蓋６と、この中蓋６と底板２１との間に設けられている弾性部材とを有している。本実施形態の弾性部材は、コイル状のバネ７であり、上端が中蓋６の下面に固定され、下端が底板２１に固定されている。中蓋６は、容器本体２の側壁２２によって上下移動可能にガイドされており、また、バネ７によって容器本体２内で支えられており、中蓋６は、容器本体２の傾きに追従して傾くこととなる。
【００１８】
中蓋６は、側壁２２の内周面２２ａよりも僅かに小さい外周輪郭形状を有した板部材であり、中蓋６には、上下方向に貫通している小穴１１が複数形成されている。中蓋６は、多孔オリフィス板の機能を有しており、後にも説明するが容器本体２が傾いた場合に（図４参照）、中蓋６と底板２１との間に収容されている塗料Ｃが、中蓋６よりも開口縁２３側へと通過するのを制限することができる。
【００１９】
バネ７は、中蓋６に容器本体２の底板２１（底部）側へ押す力を与えると、弾性変形して中蓋６を底板２１側へ移動させることができ（図３参照）、さらに、この押す力を解除すると、弾性復元力によって中蓋６を途中位置Ｐ１に復帰させることができる（図２参照）。図３では、刷毛９によって中蓋６を押し下げた場合を説明している。
【００２０】
また、本実施形態の容器１は、図２及び図４に示すように、中蓋６が途中位置Ｐ１よりも上（開口縁２３側）へ移動するのを阻止するストッパ１５を、更に備えている。ストッパ１５は、側壁２２の内周面２２ａから突出させた部材であり、途中位置Ｐ１に存在している中蓋６の上面６ａに接する位置に設けられている。ストッパ１５は、周方向に間隔をあけて複数箇所設けられている（図１参照）。このストッパ１５によれば、容器本体２が傾いた際に、塗料Ｃによって中蓋６が押されて中蓋６が容器本体２の開口縁２３側へ大きく移動するのを防ぐことができる。なお、図示しないが、ストッパ１５は、側壁２２に沿って全周設けられている環状の部材であってもよい。
【００２１】
図５（Ａ）は、容器１の平面図であり、図５（Ｂ）は、中蓋６の一部（図５（Ａ）のＫ部）を拡大して示している斜視図である。図５（Ａ）において、取っ手３を二点鎖線で示している。中蓋６に形成されている小穴１１について説明する。
上記のとおり、取っ手３の両端部４，５を結ぶ直線が、容器本体２が傾く際の傾斜中心線Ｌとなる。そして、この傾斜中心線Ｌを中蓋６の上面６ａへ投影した仮想直線Ｑに沿って、複数の小穴１１が並んで中蓋６に形成されている。
【００２２】
つまり、図５（Ａ）に示すように、中蓋６のうち、仮想直線Ｑに沿った直径方向の中央領域Ａ１にのみ、小穴１１が形成されており、この中央領域Ａ１を挟んで両側の側部領域Ａ２，Ａ３には、小穴１１が形成されていない。
小穴１１の形状は任意であるが、長方形又は長円などの細長形状とするのが好ましい。また、小穴１１の開口面積は、刷毛９の毛束の断面積よりも小さい。例えば、一つの小穴１１の開口面積を、５０ｍｍ２以上であり１００ｍｍ２以下とすることができる。
【００２３】
図６は、中蓋６の側面図である。この図６と図５（Ｂ）とに示すように、中蓋６には、上方に突出している突起１２が、小穴１１の並び方向に沿って複数形成されている。つまり、複数の突起１２も、前記仮想直線Ｑに沿って並んで形成されている。
本実施形態では、中蓋６となる板状の中間部材に対して打ち抜き成形を行って小穴１１を形成しており、その際の打ち抜き片を中間部材から完全に取り除くのではなく、打ち抜き成形によって小穴１１を形成した際の打ち抜き片を、表面側へ折り曲げた状態として残している。そして、この打ち抜き片を、突起１２としている。
【００２４】
図６に示すように、突起１２は、平坦である中蓋６の上面６ａに対して傾斜しており、容器本体２の中心を挟んで一方側（図６では左半分）の突起１２は、他方側（図６では右側）へ向かって傾斜しており、他方側（図６では右半分）の突起１２は一方側（図６では左側）へ向かって傾斜している。刷毛９によって、これら突起１２上をなぞることにより、刷毛９に付着している余分な塗料Ｃを掻き取ることができる。
【００２５】
以上、本実施形態に係る塗料用の容器１によれば、取っ手３に吊り下げられている容器本体２は、例えば風などの影響によって、一瞬の間、図４に示すように傾くことがある。容器本体２が傾くと、途中位置Ｐ１に存在している中蓋６よりも下の塗料Ｃが小穴１１を通じて、この中蓋６の上面６ａ側へと流出するが、小穴１１により、粘性を有する塗料Ｃの流出を遅延させることができる。つまり、仮に中蓋６が存在しない場合、容器本体２が傾くと、図４の二点鎖線で示すように塗料の液面はＭとなるが、本実施形態の中蓋６には小穴１１が形成されており、この小穴１１は、塗料Ｃが開口縁２３側へと通過するのを制限することができるので、中蓋６の上面６ａ側へと流出した塗料Ｃの液面はＮとなる。この結果、容器本体２が一瞬の間、傾いても、塗料Ｃは容器本体２から零れにくくなる。
【００２６】
また、本実施形態では、容器本体２が傾斜した際に、中蓋６が途中位置Ｐ１よりも上（開口縁２３側）へ移動するのを阻止するストッパ１５が、容器本体２内に設けられていることから、塗料Ｃによって中蓋６が押されて中蓋６が容器本体２の開口縁２３側へ大きく移動するのを防ぐことができる。つまり、中蓋６が容器本体２の開口縁２３側へ大きく移動してしまうと、その中蓋６の小穴１１を通過した塗料Ｃが、容器本体２の開口縁２３から零れやすくなるが、ストッパ１５によれば、これを防ぐことができる。
【００２７】
さらに、図１、図４及び図５に示すように、取っ手３の両端部４，５を結ぶ直線が、容器本体２が傾く際の傾斜中心線Ｌとなり、この傾斜中心線Ｌを中心として容器本体２が傾くと、小穴１１が形成されていない側部領域Ａ２（又は側部領域Ａ３）が、小穴１１が形成されている中央領域Ａ１よりも低い位置となる。中央領域Ａ１に、複数の小穴１１が並んで形成されているので、容器本体２が傾いても、この小穴１１の配置によれば、小穴１１から塗料Ｃが流出し難い。つまり、容器本体２から塗料Ｃが零れにくくする効果をより一層高めることができる。
【００２８】
また、突起１２と小穴１１とは隣接して設けられており、突起１２が小穴１１を一部覆うようにして傾斜していることで、この突起１２も、中蓋６の上面６ａ側へ流れる塗料Ｃに対して抵抗となり、容器本体２が傾いた場合に、塗料Ｃは容器本体２から零れにくくなる。
【００２９】
そして、作業者が塗布作業を行う際には、図３に示すように、刷毛９によって中蓋６を押し下げれば、バネ７は弾性変形して中蓋６を底板２１側へ移動させ、中蓋６よりも下にあった塗料Ｃが小穴１１を通じて中蓋６の上面６ａ側へと流出する。そして、塗料Ｃ中に沈んだ状態にある中蓋６の上で、作業者は刷毛９に塗料Ｃを付着させることができる。また、中蓋６の上で、刷毛９に塗料Ｃを付着させる作業が可能となるので、作業者は、その刷毛先を見ながら、塗料Ｃを付着させることができ、作業性が良い。
【００３０】
そして、作業者が刷毛９を持ち上げると、中蓋６は自然と前記途中位置Ｐ１（図２参照）に復帰する。途中位置Ｐ１に戻る間に、中蓋６上の塗料Ｃは小穴１１を通過して、中蓋６と底板２１との間の空間に収容される。
以上より、作業者が塗布作業を行うために、容器１内の塗料Ｃを刷毛９に付着させる必要があるが、簡単にその作業を行うことができる。
【００３１】
この容器１及び刷毛９を用いて、作業者が塗布作業を行っている際に、刷毛９に塗料Ｃが意図せず多く含まれている場合、この刷毛９から余剰の塗料Ｃを除く必要がある。そこで、本実施形態に係る容器１によれば、中蓋６には、その上面６ａから突出している突起１２が複数設けられていることから、多くの塗料Ｃが付着している刷毛９により、突起１２が設けられている中蓋６の上面６ａをなぞることで、この突起１２によって、刷毛９から余分な塗料Ｃが除かれる。
【００３２】
しかも、突起１２は、小穴１１の並び方向に沿って複数形成されていることから、突起１２によって刷毛９から除かれた余分な塗料Ｃは、直ぐに小穴１１を通じて中蓋６と容器本体２の底板２１との間に戻すことが可能となる。
また、この場合、刷毛９により中蓋６をなぞる方向は、複数の突起１２が並んで設けられている方向となる。この方向に沿って刷毛９が中蓋６を押したとしても、この突起１２が形成されている領域は、仮想直線Ｑが中心に位置する中央領域Ａ１に含まれているので、取っ手３によって吊り下げられている容器本体２は、傾きにくく、作業性が良い。
なお、中央領域Ａ１の幅は、刷毛９の幅と同等であるのが好ましい。
【００３３】
また、図７は、小穴１１及び突起１２の配置が上記実施形態と異なる場合の、容器１の平面図である。この図７の場合においても、取っ手３の両端部４，５を結ぶ直線（傾斜中心線Ｌ）を中蓋６の上面６ａに投影した仮想直線Ｑに沿って、複数の小穴１１は、並んで中蓋６に形成されている。そして、この中蓋６には、上方に突出している突起１２が、小穴１１の並び方向に沿って複数形成されている。つまり、小穴１１及び突起１２は、図５に示す実施形態と同様に、中央領域Ａ１にのみ形成されている。
図５に示す実施形態と異なる点は、小穴１１それぞれの向き、及び、突起１２それぞれの向きである。
【００３４】
図５に示す中蓋６の場合、刷毛９から余剰の塗料Ｃを除くためには、刷毛９を仮想直線Ｑに沿って中蓋６上を往復してなぞればよいが、図７に示す中蓋６の場合、刷毛９を仮想直線Ｑに対してわずかに傾斜した方向に沿って中蓋６上をなぞってもよい。
【００３５】
容器１の開口縁２３には、図示しないが上蓋が取り付けられる。上蓋には孔が形成されておらず、容器本体２内を密閉することができる。
また、中蓋６の形状（大きさ）は、容器本体２の形状（大きさ）に応じて変更すればよい。つまり、既製品である容器本体２（塗装缶）に対して、中蓋６及びバネ７を設置することが可能である。
【００３６】
本発明の塗料用の容器は、図示する形態に限らず本発明の範囲内において他の形態のものであってもよい。例えば、小穴１１の配置、及び、形状は、図示した以外のものであってもよく、小穴１１を中蓋６に均等に分布させてもよい。また、中蓋６を支持している弾性部材を、コイル状のバネ７として説明したが、これ以外であってもよく、例えば金属製の帯状部材を複数回折り曲げて得たバネであってもよい。
【符号の説明】
【００３７】
１：塗料用の容器    ２：容器本体    ３：取っ手    ４：端部    ５：端部    ６：中蓋    ６ａ：上面    ７：バネ（弾性部材）    ９：刷毛    １１：小穴    １２：突起    １５：ストッパ    ２２：側壁    Ｃ：塗料    Ｌ：傾斜中心線    Ｐ１：途中位置    Ｑ：仮想直線
【図１】
2013059898.tif 000003
【図２】
2013059898.tif 000004
【図３】
2013059898.tif 000005
【図４】
2013059898.tif 000006
【図５】
2013059898.tif 000007
【図６】
2013059898.tif 000008
【図７】
2013059898.tif 000009
【図８】
2013059898.tif 000010